【手続補正書】
【提出日】平成18年2月6日(2006.2.6)
【手続補正１】
【補正対象書類名】明細書
【補正対象項目名】特許請求の範囲
【補正方法】変更
【補正の内容】
【特許請求の範囲】
【請求項１】  感光体上に形成された画像を周回駆動される中間転写体上に１次転写することでカラー画像を形成し、前記中間転写体上の画像を記録材に２次転写することで画像形成を行う画像形成装置において、
前記中間転写体上の基準位置を検出する基準位置検出手段と、
前記中間転写体における前記基準位置の検出にかかわらず、画像形成を開始するための画像書き出し基準位置信号を発行する第１の発行手段と、
前記中間転写体における基準位置の検出に基づいて、画像形成を開始するための画像書き出し基準位置信号を発行する第２の発行手段と、
前記第１の発行手段により発行された信号及び前記第２の発行手段により発行された信号のうちの何れに基づいて画像形成を制御するかを選択する選択手段とを備えることを特徴とする画像形成装置。
【請求項２】  前記第１の発行手段により発行された信号により画像形成を制御する場合は、前記基準位置の検出にかかわらず、１色目の画像書き出し基準位置信号を発行し、
前記第２の発行手段により発行された信号により画像形成を制御する場合は、前記基準位置の検出に基づいて、１色目の画像書き出し基準位置信号を発行して、画像形成を制御することを特徴とする請求項１に記載の画像形成装置。
【請求項３】  前記第１の発行手段により発行された信号により画像形成を制御する場合は、前記中間転写体の周回方向の長さである周長に基づいて、２色目以降の画像書き出し基準位置信号を発行し、
前記第２の発行手段により発行された信号により画像形成を制御する場合は、前記基準位置の検出に基づいて、２色目以降の画像書き出し基準位置信号を発行して、画像形成を制御することを特徴とする請求項２に記載の画像形成装置。
【請求項４】  基準クロック信号を発生する基準クロック発生手段と、
前記中間転写体における基準位置の検出と前記基準クロック信号に基づき、前記周長を検知する周長検知手段と、を備えることを特徴とする請求項３に記載の画像形成装置。
【請求項５】  画像形成を行うレーザビームの主走査方向の１走査区間を１ライン区間とした場合、前記周長をライン数に換算する換算手段、を備えることを特徴とする請求項４に記載の画像形成装置。
【請求項６】  前記基準クロック信号は、少なくとも前記１ライン区間未満の時間長を有するクロック信号であることを特徴とする請求項４または５に記載の画像形成装置。
【請求項７】  前記換算手段は、前記周長をライン数に換算する際、換算結果の小数部の値に応じて整数部を微調整することを特徴とする請求項５に記載の画像形成装置。
【請求項８】  前記選択手段は、画像形成中に画像形成のプロセス速度の変速を行う場合には、前記第２の発行手段により発行された信号に基づいて画像形成を制御し、画像形成中に画像形成のプロセス速度の変速を行わない場合には、前記第１の発行手段により発行された信号に基づいて画像形成を制御することを特徴とする請求項１に記載の画像形成装置。  
【請求項９】  前記選択手段は、画像形成のプロセス速度が前記１次転写と前記２次転写で異なる場合には、前記第２の発行手段により発行された信号に基づいて画像形成を制御することを特徴とする請求項８に記載の画像形成装置。
【請求項１０】  前記画像形成のプロセス速度が前記１次転写と前記２次転写で異なる場合とは、記録材に厚紙またはＯＨＰシートを使用した場合であることを特徴とする請求項９に記載の画像形成装置。
【請求項１１】  感光体上に形成された画像を周回駆動される中間転写体上に１次転写することでカラー画像を形成し、前記中間転写体上の画像を記録材に２次転写することで画像形成を行う画像形成装置における画像形成制御方法において、
前記中間転写体における基準位置の検出にかかわらず、画像形成を開始するための画像書き出し基準位置信号を発行する第１の発行工程と、
前記中間転写体における基準位置の検出に基づいて、画像形成を開始するための画像書き出し基準位置信号を発行する第２の発行手段と、
前記第１の発行工程により発行された信号及び前記第２の発行工程により発行された信号のうちの何れに基づいて画像形成を制御するかを選択する選択工程とを備えることを特徴とする画像形成制御方法。
【請求項１２】  前記第１の発行工程は、前記基準位置の検出にかかわらず、１色目の画像書き出し基準位置信号を発行し、
前記第２の発行工程は、前記基準位置の検出に基づいて、１色目の画像書き出し基準位置信号を発行して、画像形成を制御することを特徴とする請求項１１に記載の画像形成制御方法。
【請求項１３】  前記第１の発行工程は、前記中間転写体の周回方向の長さである周長に基づいて、２色目以降の画像書き出し基準位置信号を発行し、
前記第２の発行工程は、前記基準位置の検出に基づいて、２色目以降の画像書き出し基準位置信号を発行して、画像形成を制御することを特徴とする請求項１２に記載の画像形成制御方法。
【請求項１４】  前記記録材に厚紙またはＯＨＰシートを使用した場合に、画像形成のプロセス速度が前記１次転写と前記２次転写で異なるように制御することを特徴とする請求項１１に記載の画像形成制御方法。
【請求項１５】  前記選択工程は、画像形成中に画像形成のプロセス速度の変速を行う場合には、前記第２の発行工程により発行された信号に基づいて画像形成を制御し、画像形成中に画像形成のプロセス速度の変速を行わない場合には、前記第１の発行工程により発行された信号に基づいて画像形成を制御することを特徴とする請求項１１に記載の画像形成制御方法。
【請求項１６】  前記選択工程は、画像形成のプロセス速度が前記１次転写と前記２次転写で異なる場合には、前記第２の発行工程により発行された信号に基づいて画像形成を制御することを特徴とする請求項１５に記載の画像形成制御方法。
【請求項１７】  前記画像形成のプロセス速度が前記１次転写と前記２次転写で異なる場合とは、記録材に厚紙またはＯＨＰシートを使用した場合であることを特徴とする請求項１６に記載の画像形成制御方法。
【手続補正２】
【補正対象書類名】明細書
【補正対象項目名】０００８
【補正方法】変更
【補正の内容】
【０００８】
【課題を解決するための手段】
上記目的を達成するため、本発明は、感光体上に形成された画像を周回駆動される中間転写体上に１次転写することでカラー画像を形成し、前記中間転写体上の画像を記録材に２次転写することで画像形成を行う画像形成装置において、前記中間転写体上の基準位置を検出する基準位置検出手段を備え、前記中間転写体における前記基準位置の検出にかかわらず、画像形成を開始するための画像書き出し基準位置信号を発行する第１の発行手段と、前記中間転写体における基準位置の検出に基づいて、画像形成を開始するための画像書き出し基準位置信号を発行する第２の発行手段と、前記第１の発行手段により発行された信号及び前記第２の発行手段により発行された信号のうちの何れに基づいて画像形成を制御するかを選択する選択手段とを備えることを特徴とする。
【手続補正３】
【補正対象書類名】明細書
【補正対象項目名】０００９
【補正方法】変更
【補正の内容】
【０００９】
また、上記目的を達成するため、本発明は、感光体上に形成された画像を周回駆動される中間転写体上に１次転写することでカラー画像を形成し、前記中間転写体上の画像を記録材に２次転写することで画像形成を行う画像形成装置における画像形成制御方法において、前記中間転写体における基準位置の検出にかかわらず、画像形成を開始するための画像書き出し基準位置信号を発行する第１の発行工程と、前記中間転写体における基準位置の検出に基づいて、画像形成を開始するための画像書き出し基準位置信号を発行する第２の発行手段と、前記第１の発行工程により発行された信号及び前記第２の発行工程により発行された信号のうちの何れに基づいて画像形成を制御するかを選択する選択工程とを備えることを特徴とする。
【手続補正４】
【補正対象書類名】明細書
【補正対象項目名】符号の説明
【補正方法】変更
【補正の内容】
【符号の説明】
１  カラーリーダ部
２  カラープリンタ部
１００  制御部
１１１  ＣＣＤ
２０２  感光ドラム
２０３  各色現像器
２０５  中間転写体
２０６  ２次転写ローラ
２２１  レジストローラ
２５０  プリンタ制御部
３０３  操作部（選択手段）
４０１  マーキング
４０２  ホームポジションセンサ（基準位置検出手段）
６０１  プリンタ部制御用ＣＰＵ（選択手段、換算手段）
６０２  ＡＳＩＣ（第１の発行手段、第２の発行手段、基準クロック発生手段、周長検知手段、）
６０４  ＲＡＭ